(57)【要約】【課題】ＡＦ機能を備えたレンズ装置において、ＡＦに関する処理を行うＡＦ処理手段の特性調整を、その内容に応じたテストチャートをパソコン等のモニタに表示させて行うことによってＡＦ処理手段の特性調整を簡易に行えるようにしたレンズ調整システムを提供する。【解決手段】ＡＦ用ＣＣＤ２０を備える共に、ＡＦ用撮像素子によって撮像した被写体像のコントラストに基づいて光学系のフォーカス調整を自動で行うＡＦ機能を備えたレンズ装置１４において、パソコン１６が接続される。パソコン１６では、モニタ５０にテストチャートが表示されると共に、そのとき、ＡＦ用ＣＣＤ２０により撮影されたそのテストチャートの映像が取り込まれる。そして、テストチャートの映像に基づいてＡＦの処理を行うＡＦ処理部２２の特性が最適となるように特性を変更するコマンドがレンズ装置１４に送信される。【選択図】      図２
2008003144.tif 000002
【特許請求の範囲】
【請求項１】
カメラ本体の撮像素子によって被写体像を結像する光学系と、該光学系から分割した被写体光により結像される被写体像を撮像するＡＦ用撮像素子と、該ＡＦ用撮像素子により撮像された被写体像のコントラストの高さを検出するＡＦ処理手段と、該ＡＦ処理手段により検出されたコントラストの高さに基づいて前記光学系のフォーカスを合焦状態に自動で設定するオートフォーカス機能を備えたレンズ装置と、
モニタに所定のパターンのテストチャートを表示する表示手段と、
前記表示手段に表示されたテストチャートを前記ＡＦ用撮像素子によって撮像したときの被写体像に基づいて前記ＡＦ処理手段の特性を調整する調整手段と、
を備えたことを特徴とするレンズ調整システム。
【請求項２】
前記表示手段は、前記モニタに表示するテストチャートを前記調整手段により調整する特性の内容に応じたテストチャートに自動で切り替えることを特徴とする請求項１のレンズ調整システム。
【請求項３】
前記調整手段は、前記ＡＦ処理手段の特性の調整として、少なくともアンプのゲイン調整を含むことを特徴とする請求項１又は２のレンズ調整システム。
【発明の詳細な説明】
【技術分野】
【０００１】
本発明はレンズ調整システムに係り、特に、オートフォーカス（ＡＦ）機能を備えたレンズ装置におけるＡＦに関する処理を行うＡＦ処理手段の特性調整を用いて行うレンズ調整システムに関する。
【背景技術】
【０００２】
放送用テレビカメラでは一般にカメラ本体に対して撮影光学系（撮影レンズ）を備えたレンズ装置がマウントにより着脱可能に装着されるようになっており、従来、レンズ装置自体がオートフォーカス用の撮像素子（ＡＦ用撮像素子）を備え、そのＡＦ用撮像素子により得られた映像（画像）のコントラストに基づいてフォーカス（フォーカスレンズ）を合焦状態に設定するＡＦ機能を備えたレンズ装置が知られている。
【０００３】
一方、特許文献１にはテレビカメラの映像調整を自動で行う映像調整装置が開示されている。これによれば、液晶表示部にテストチャートを表示してそのテストチャートをテレビカメラで撮影し、液晶表示部に表示したテストチャートと、撮影画像として得られたテストチャートを比較することによってテレビカメラの映像調整が自動的に行われることようになっている。
【特許文献１】特開平１１−２３４７０６号公報
【発明の開示】
【発明が解決しようとする課題】
【０００４】
ところで、ＡＦ機能を備えたレンズ装置において、ＡＦ機能に関する信号処理部、即ち、ＡＦ用撮像素子によって撮像された被写体像のコントラストの高さを検出するＡＦ処理部（ＡＦ処理手段）の特性調整は、専門の作業員による煩雑な作業及び特別な知識、技術によって行われている。例えば、ＡＦ処理部の所定の信号ラインに波形モニタを接続しておき、調整する内容に応じたパターンのテストチャートを調整対象のレンズ装置で撮影して波形モニタでそのときの波形を確認する。そして、その波形が最適な特性が得られるときの波形となるようにＡＦ処理部を構成する各回路の回路パラメータをボリウム等で調整している。このような作業には専門的な知識や技術と、時間や手間が必要とされている。また、特性調整の内容としては、ＡＦ用撮像素子から出力された信号のゲイン調整やフィルタ回路（ハイパスフィルタ等）のカットオフ周波数調整、Ａ／Ｄ変換器におけるクロック位相調整等の様々なものがあり、各調整内容ごと、または、各内容の調整時において、適切なテストチャートに交換する必要がある。そのテストチャートの交換等にも手間を要し、外出先で特性調整を行う場合には多くの種類のテストチャートを持ち運ばなくてはならないという不便さがあった。
【０００５】
本発明はこのような事情に鑑みてなされたもので、レンズ装置に搭載されたＡＦ機能に関するＡＦ処理部（ＡＦ処理手段）の特性調整を簡易に行えるようにしたレンズ調整システムを提供することを目的とする。
【課題を解決するための手段】
【０００６】
前記目的を達成するために、請求項１に係るレンズ調整システムは、カメラ本体の撮像素子によって被写体像を結像する光学系と、該光学系から分割した被写体光により結像される被写体像を撮像するＡＦ用撮像素子と、該ＡＦ用撮像素子により撮像された被写体像のコントラストの高さを検出するＡＦ処理手段と、該ＡＦ処理手段により検出されたコントラストの高さに基づいて前記光学系のフォーカスを合焦状態に自動で設定するオートフォーカス機能を備えたレンズ装置と、モニタに所定のパターンのテストチャートを表示する表示手段と、前記表示手段に表示されたテストチャートを前記ＡＦ用撮像素子によって撮像したときの被写体像に基づいて前記ＡＦ処理手段の特性を調整する調整手段と、を備えたことを特徴としている。
【０００７】
本発明によれば、モニタにテストチャートを表示させるため、複数種のテストチャートを容易に切り替えてＡＦ処理手段の所望の特性調整を行うことができる。テストチャートを表示するモニタとして持ち運びが容易なパソコン（ノートパソコン等）のモニタを使用することが可能であり、必要なテストチャートの作成も容易である。また、ＡＦ用撮像素子によって撮像したテストチャートの画像を解析することによってＡＦ処理手段の特性調整を自動的に行うようにすることも可能である。
【０００８】
また、請求項２に記載のレンズ調整システムは、請求項１に記載の発明において、前記表示手段は、前記モニタに表示するテストチャートを前記調整手段により調整する特性の内容に応じたテストチャートに自動で切り替えることを特徴としている。
【０００９】
本発明によれば、特性調整の内容等に応じてモニタに表示させるテストチャートをユーザが選択する手間が軽減される。
【００１０】
請求項３に記載のレンズ調整システムは、請求項１又は２に記載の発明において、前記調整手段は、前記ＡＦ処理手段の特性の調整として、少なくともアンプのゲイン調整を含むことを特徴としている。本発明は、特性調整の内容としてアンプのゲイン調整を必須の調整内容として限定したものである。
【発明の効果】
【００１１】
本発明に係るレンズ調整システムによれば、レンズ装置に搭載されたＡＦ機能に関するＡＦ処理部（ＡＦ処理手段）の特性調整を簡易に行えるようになる。
【発明を実施するための最良の形態】
【００１２】
以下添付図面に従って本発明に係るレンズ調整システムを実施するための最良の形態について詳述する。
【００１３】
図１は、本発明に係るレンズ調整システムの外観構成及び撮影光学系の構成を示した図である。同図において、テレビカメラ１０は、例えば放送用又は業務用に使用されるもので、カメラ本体１２と、カメラ本体１２にマウントにより着脱可能に装着されるレンズ装置１４とから構成されている。カメラ本体１２には、記録又は再生用の映像を撮影する撮像素子（映像用撮像素子）や撮像素子の出力信号から所定形式の映像信号を生成するための信号処理回路等が搭載されている。
【００１４】
一方、レンズ装置１４は、被写体からの被写体光をカメラ本体１２の映像用撮像素子の撮像面に結像させる光学系と、光学系の制御等を行う制御系とを備えている。
【００１５】
光学系は、例えばレンズ鏡胴に保持された光学部材によって構成されており、同図に示すように、前方（被写体側）から順にフォーカスレンズ（群）ＦＬ、ズームレンズ（群）ＺＬ、絞りＩ、マスターレンズ（群）ＭＬ１等が配置されている。詳細な説明は省略するが、フォーカスレンズＦＬやズームレンズＺＬは、光軸方向に前後動可能に支持され、絞りＩは開閉動作可能に支持されている。これらは例えば図示しないモータに連結されており、制御系の制御によりモータを駆動することによって、それらのフォーカスレンズＦＬやズームレンズＺＬの位置や速度、絞りＩの開口量等を制御することができるようになっている。尚、フォーカスレンズＦＬが移動することにより光学系のピント位置（ピントが合う被写体までの被写体距離）が変化し、ズームレンズＺＬが移動することにより光学系の焦点距離（画角の大きさ）が変更される。
【００１６】
また、同図のレンズ装置１４は、オートフォーカス（ＡＦ）機能を搭載しており、同図の光学系に示すように絞りＩの後段にハーフミラー等の光分割手段１８が配置され、カメラ本体１２の映像用撮像素子に導かれる光の一部がＡＦ用の被写体光として分岐されるようになっている。
【００１７】
ＡＦ用の被写体光が導かれるＡＦ用光路には、ＡＦ用マスターレンズ（群）ＭＬ２とＡＦ用ＣＣＤ（ＡＦ用撮像素子）２０が配置されている。ＡＦ用マスターレンズＭＬ２は、上記マスターレンズＭＬ１と同様に最終的に被写体光を結像させるレンズとして作用し、光分割手段１８によってＡＦ用光路に導かれたＡＦ用被写体光は、ＡＦ用マスターレンズＭＬ２を通過して、ＡＦ用ＣＣＤ２０の撮像面に被写体像を結像する。ＡＦ用ＣＣＤ２０の撮像面は、カメラ本体１２の映像用撮像素子の撮像面と共役の位置に配置されており、ＡＦ用ＣＣＤ２０によって映像用撮像素子と略一致した映像（画像）が撮影される。即ち、映像用撮像素子が撮影する画像と略一致した画角と被写体距離の画像がＡＦ用ＣＣＤ２０によって撮影される。
【００１８】
レンズ装置１４には、このようにＡＦ用ＣＣＤ２０によって撮影された映像に基づいてフォーカスレンズＦＬを自動で合焦位置に移動させるためのＡＦ機能が搭載されている。そのＡＦ機能では、映像のコントラストが最大（極大）となる位置を合焦位置としてフォーカスレンズＦＬをその位置に移動させるコントラスト方式のＡＦが採用されており、レンズ装置１４の制御系には、後述のようにＡＦ用ＣＣＤ２０によって撮影された映像のコントラストの高さを検出するための信号処理を行うＡＦ処理部が設けられている。
【００１９】
また、レンズ装置１４は、外部装置とシリアル通信を行う通信機能が備えており、ＡＦ処理部の特性調整を行う場合には同図に示すようにレンズ装置１４の所定の端子に例えばノート型のパーソナルコンピュータ（パソコン）１６がケーブルを介してシリアル通信可能に接続される。そして、そのパソコン１６は、モニタ５０（液晶表示部）がレンズ装置１４の光学系の画角範囲内に入るようにレンズ装置１４の前方に配置される。尚、パソコン１６のモニタ５０は、レンズ装置１４の焦点距離に応じた適切な距離に配置する。
【００２０】
詳細は後述するが、パソコン１６では、ＡＦ処理部の特性調整を行うためのプログラムが実行されると、モニタ５０に調整内容に応じた所要のパターンのテストチャートが表示されると共に、そのときＡＦ用ＣＣＤ２０により撮影されているテストチャートの映像（映像信号）がパソコン１６に取り込まれるようになっている。そして、パソコン１６での映像信号の解析により、ＡＦ処理部の特性を最適にするためのＡＦ処理部の特性調整がパソコン１６からレンズ装置１４に与えられるコマンドに従って行われるようになっている。
【００２１】
図２は、上記レンズ調整システムにおける主要部の構成を示したブロック図である。同図に示すようにレンズ装置１４には、上記ＡＦ用ＣＣＤ２０、ＡＦ用ＣＣＤ２０によって撮影される映像のコントラストを検出するためのＡＦ処理部２２、ＡＦ処理部２２の各回路を制御するＡＦ用ＣＰＵ３６、ＡＦ時におけるフォーカスレンズＦＬの制御やその他のレンズ装置１４における制御（ズーム制御、絞り制御等）を統括的に行うレンズ制御ＣＰＵ４０等が搭載されている。
【００２２】
ＡＦ処理部２２の構成・作用について説明すると、ＡＦ用ＣＣＤ２０によって撮影された被写体の映像を示す映像信号（輝度信号）は、アンプ２４によって所定のゲイン値で増幅処理される。続いて、Ａ／Ｄ変換器２６によりアナログ信号からデジタル信号に変換され、ハイパスフィルタ（ＨＰＦ）２８に入力される。ＨＰＦ２８では、入力した映像信号の周波数成分のうち、所定のカットオフ周波数よりも低域周波数成分の信号が遮断され、そのカットオフ周波数よりも高域周波数成分の信号のみが通過して、ゲート回路３０に入力される。ゲート回路３０では、入力された映像信号の各画面（各フィールド）ごとに、ピント合わせの対象範囲とするＡＦエリアの範囲の映像信号のみが抽出され、そのＡＦエリアの範囲の映像信号のみがゲート回路３０から出力される。ＡＦエリアは例えば１画面分の画像範囲のうち中央部における４角形状の範囲に設定される。また、ＡＦエリアの範囲（大きさ、位置等）を変更操作できるようにしたものもある。
【００２３】
ゲート回路３０から出力された映像信号は続いて加算回路３２に入力され、加算回路３２において１画面分ずつ映像信号の値が積算される。加算回路３２によって得られる１画面ごとに得られる積算値は、ＡＦ用ＣＣＤ２０によって撮影された映像（画像）のコントラストの高さを示しており、その値は、ＡＦ用ＣＰＵ３６に焦点評価値として順次読み込まれる。
【００２４】
また、アンプ２４から出力された映像信号の信号レベル（輝度レベル）が輝度レベル検出回路３４によって検出され、その検出値がＡＦ用ＣＰＵ３６に与えられるようになっている。ＡＦ用ＣＰＵ３６は、輝度レベル検出回路３４から与えられた輝度レベルの検出値が適切な値となるようＡＦ用ＣＣＤ２０における電子シャッタ速度（電荷蓄積時間）を調整している。
【００２５】
レンズ制御ＣＰＵ４０ではＡＦを実行する際に、ＡＦ処理部２２からＡＦ用ＣＰＵ３６に取得された焦点評価値の情報をピント情報として逐次取得し、その焦点評価値が最大（極大）となる位置にフォーカスレンズＦＬを移動させる。これによって、レンズ装置１４の光学系のフォーカス調整（ピント合わせ）が自動で行われる。
【００２６】
ここで、ＡＦ処理部２２の特性を決める要素として、アンプ２４におけるゲイン（ゲイン値）、Ａ／Ｄ変換器２６におけるクロック位相、ＨＰＦ２８におけるカットオフ周波数、ゲート回路３０におけるＡＦエリア（ＡＦ枠）の範囲がある。これらの特性は、ＡＦ用ＣＰＵ３６から各回路に与えられる制御信号によって設定、変更されるようになっている。ＡＦ用ＣＰＵ３６は、これらの特性を設定するための設定値をＥＥＰＲＯＭ３８から読み出し、その設定値に従って各回路に制御信号を出力する。ＥＥＰＲＯＭ３８には、ＡＦ処理部２２の特性を設定するための設定値として、既定の初期設定値と、後述の特性調整によって設定された調整値とが記憶されるようになっており、特性調整によって初期設定値から調整値に変更した場合であっても、初期設定値に容易に戻すことができるようになっている。
【００２７】
続いて、ＡＦ処理部２２の特性調整のために図１のようにレンズ装置１４のシリアル通信用のコネクタにパソコン１６を接続した場合について説明する。レンズ装置１４のシリアル通信用のコネクタにパソコン１６を接続すると、図２に示すようにレンズ装置１４におけるレンズ制御ＣＰＵ４０とパソコン１６のＣＰＵ５２とがシリアル通信可能に接続され、レンズ制御ＣＰＵ４０とパソコン１６のＣＰＵ５２との間で各種情報のやり取りが行えるようになっている。
【００２８】
また、ＡＦ処理部２２においてＡ／Ｄ変換器２６の出力後の映像信号もパソコン１６に伝送されるようになっている。Ａ／Ｄ変換器２６からＨＰＦ２８へと映像信号が伝送される信号ラインには、その信号ラインから映像信号を分岐する別の信号ラインが設けられており、その信号ラインを伝送した映像信号は、Ｄ／Ａ変換器４２によってアナログ信号に変換される。そして、アナログ信号に変換された映像信号はドライバ４４を介してパソコン１６のＣＰＵ５２に送信されるようになっている。
【００２９】
また、Ｄ／Ａ変換器４２では、デジタル信号をアナログ信号に変換する機能だけでなく、ゲート回路３０から与えられるＡＦエリアの情報に基づいて、そのＡＦエリアの範囲を示す枠（ＡＦ枠）の画像を映像信号に重畳（合成）して出力する機能を備えている。従って、パソコン１６にはＡＦ用ＣＣＤ２０により撮影されている映像にＡＦ枠の画像が合成された映像信号が送信される。
【００３０】
尚、レンズ装置１４からパソコン１６への映像信号は、レンズ制御ＣＰＵ４０とパソコン１６のＣＰＵ５２との間の信号を伝送するシリアル通信用のコネクタを通じて伝送されるようにしてもよいし、シリアル通信用のコネクタとは別のコネクタを通じて伝送されるようにしてもよい。
【００３１】
パソコン１６のＣＰＵ５２では、ＡＦ処理部２２の特性調整を行うプログラムが実行される。ＡＦ処理部２２の特性を決める要素として、アンプ２４のゲイン値を調整（ゲイン調整）する場合のパソコン１６のＣＰＵ５２での処理手順について図３のフローチャートを用いて説明する。
【００３２】
パソコン１６のＣＰＵ５２は、特性調整のためのプログラムの実行を開始すると、所要の初期設定を行った後（ステップＳ１０）、何を調整するかの案内画面をモニタ５２に表示する。そして、オペレータによる入力操作（キーボードのキー入力等）を読み取り、調整する特性の内容を決定する（ステップＳ１２）。本フローチャートでは、アンプ２４のゲイン調整の処理手順を示しているため、ステップＳ１２における入力操作によってゲイン調整が選択されたか否かを判定する（ステップＳ１４）。ＮＯと判定した場合には、入力に応じた処理（ゲイン調整以外の他の処理）を実行する（ステップＳ１６）。
【００３３】
一方、ステップＳ１４においてＹＥＳと判定した場合には、続いてパソコン１６のモニタ５０の画面に所定のパターンのテストチャートを表示する（ステップＳ１８）。例えば、モニタ５０には、図４のように白の背景に、灰色で所定幅の縦方向のラインが所定周期（一定間隔）で配列されたテストチャートが表示される。尚、テストチャートの表示はシャギーが目立たないベクトルデータによって行うことが望ましい。また、オペレータはカメラ本体１２の映像用撮像素子によって撮影された映像をビューファインダ等で確認して光学系のフォーカスをテストチャートに合焦させておく。また、モニタ５０はレンズ装置１４の焦点距離に応じて適切な距離に配置する。
【００３４】
続いて、パソコン１６のＣＰＵ５２は、ＡＦ用ＣＣＤ２０で撮影されているそのテストチャートの映像の映像信号をレンズ装置１４から読み取る（ステップＳ２０）。そして、その映像信号を解析し、テストチャートの位置が撮影範囲内の既定の位置からずれているか否かを判定する（ステップＳ２２）。ＹＥＳと判定した場合には、モニタ５０上でのテストチャートの表示位置を修正し（ステップＳ２４）、ステップＳ２０の処理に戻る。
【００３５】
一方、ステップＳ２２においてＮＯと判定した場合には、続いて、レンズ装置１４から読み取った映像信号の信号レベル（輝度レベル）を検出し、その輝度レベルが目標値より小さいか否かを判定する（ステップＳ２６）。ＹＥＳと判定した場合には、アンプ２４のゲイン値を所定値分増加させることを指示するゲインアップコマンドをレンズ装置１４に送信する（ステップＳ２８）。そのコマンドはレンズ制御ＣＰＵ４０からＡＦ用ＣＰＵ３６に渡され、ＡＦ用ＣＰＵ３６は、そのコマンドが渡されると、アンプ２４のゲイン値を所定分増加させるための制御信号をアンプ２４に出力する。これにより、アンプ２４のゲイン値が増加し、映像信号の輝度レベルが増加する。
【００３６】
パソコン１６のＣＰＵ５２は、ゲインアップコマンドをレンズ装置１４に送信し、アンプ２４のゲイン値を増加させると、ステップＳ２０の処理に戻り、ステップＳ２０からステップＳ２８までの処理をステップＳ２６においてＮＯと判定するまで繰り返す。
【００３７】
ステップＳ２６においてＮＯと判定した場合、レンズ装置１４から読み取った映像信号の信号レベル（輝度レベル）が目標値より大きいか否かを判定する（ステップＳ３０）。ＹＥＳと判定した場合には、アンプ２４のゲイン値を所定値分減少させることを指示するゲインダウンコマンドをレンズ装置１４に送信する（ステップＳ３２）。そのコマンドはレンズ制御ＣＰＵ４０からＡＦ用ＣＰＵ３６に渡され、ＡＦ用ＣＰＵ３６は、そのコマンドが渡されると、アンプ２４のゲイン値を所定分減少させるための制御信号をアンプ２４に出力する。これにより、アンプ２４のゲイン値が減少し、映像信号の輝度レベルが減少する。
【００３８】
パソコン１６のＣＰＵ５２は、アンプ２４のゲイン値を減少させると、ステップＳ２０の処理に戻る。そして、ステップＳ２２及びステップＳ３０のいずれにおいてもＮＯと判定されるまで、即ち、映像信号の輝度レベルが目標値に一致するまでステップＳ２０からの処理を繰り返す。ステップＳ２２及びステップＳ３０のいずれにおいてもＮＯと判定した場合には、ゲイン調整を終了し、ステップＳ１２に戻る。このときのアンプ２４のゲイン値は最適な調整値としてＥＥＰＲＯＭ３８に記憶され、ＡＦ処理の実行の際にアンプ２４のゲイン値がその調整値に設定される。
【００３９】
尚、上記ステップＳ１８においてモニタ５０に表示するテストチャートの灰色の濃度を変更することによってテストチャートのコントラストを変更し、各コントラストのテストチャートにおいてＡＦ用ＣＣＤ２０から得られる映像信号の輝度レベルが適切となるようにアンプ２４のゲイン調整を上記フローチャートの処理手順によって行い、各コントラストのテストチャートで調整されたゲイン値に基づいて、アンプ２４での最適なゲイン値を求めるようにしてもよい。テストチャートのコントラストを変更すると、映像信号の輝度レベルも変化するが、その変化が正常かどうかの判断も加味して必要な修正を行えるようにすればより緻密な調整が可能となる。
【００４０】
以上の図３のフローチャートでは、アンプ２４のゲイン調整を行う場合の処理手順を示したが、アンプ２４のゲイン調整以外のＡＦ処理部２２の特性調整もアンプ２４のゲイン調整と同様にパソコン１６のモニタ５０にテストチャートを表示させて行われる。
【００４１】
例えば、Ａ／Ｄ変換器２６のクロック位相調整では、パソコン１６のモニタ５０に図４と同様のパターンのテストチャートが表示される。また、パソコン１６のＣＰＵ５２からレンズ装置１４に対してクロック位相を所定値ずつ変更するコマンドがレンズ制御ＣＰＵ４０を介してＡＦ用ＣＰＵ３６に送信され、それに従ってＡＦ用ＣＰＵ３６からＡ／Ｄ変換器２６に与えられる制御信号によってＡ／Ｄ変換器２６のクロック位相が変更される。
【００４２】
パソコン１６のＣＰＵ５２は、クロック位相を変更するごとに、レンズ装置１４から得られる映像信号に基づいてＡＦ処理部２２において求められる焦点評価値をＣＰＵ５２におけるＡＦ処理部２２と同等の処理により求め、その焦点評価値に基づいて最適なクロック位相になったときを検出する。尚、ＣＰＵ５２において焦点評価値を求めるのではなく、ＡＦ処理部２２で求められた焦点評価値をＡＦ用ＣＰＵ３６から取得してもよい。そして、最適なクロック位相となったときにＡＦ用ＣＰＵ３６からＡ／Ｄ変換器２６に出力していた制御信号の値をクロック位相の最適な調整値としてＥＥＰＲＯＭ３８に記憶させる。尚、Ａ／Ｄ変換器２６のクロック位相調整においても、モニタ５０に表示するテストチャートのコントラストを変更し、それに対する焦点評価値の変化が正常かどうかの判断を加味して必要な修正を行えるようにすればより緻密な調整が可能となる。
【００４３】
また、ＨＰＦ２８の特性調整では、例えば、ＨＰＦ２８のカットオフ周波数の調整が行われ、パソコン１６のモニタ５０に図４と同様のパターンのテストチャートが表示される。また、パソコン１６のＣＰＵ５２からレンズ装置１４に対してＨＰＦ２８のカットオフ周波数を所定値ずつ変更するコマンドがレンズ制御ＣＰＵ４０を介してＡＦ用ＣＰＵ３６に送信され、それに従ってＡＦ用ＣＰＵ３６からＨＰＦ２８に与えられる制御信号によってＨＰＦ２８のカットオフ周波数が変更される。
【００４４】
パソコン１６のＣＰＵ５２は、ＡＦ処理部２２で求められた焦点評価値をＡＦ用ＣＰＵ３６からレンズ制御ＣＰＵ４０を介して取得し、その焦点評価値に基づいて最適なカットオフ周波数となったときにＡＦ用ＣＰＵ３６からＨＰＦ２８に出力していた制御信号の値をカットオフ周波数の最適な調整値としてＥＥＰＲＯＭ３８に記憶させる。
【００４５】
尚、ＨＰＦ２８の代わりに特性の異なる複数のハイパスフィルタやバンドパスフィルタを切替え可能に接続し、好適なフィルタを選択できるようにした構成も知られている。この場合に、モニタ５０に表示したテストチャートに対してレンズ装置１４から焦点評価値を取得し、フィルタを切り替えたときの焦点評価値の変化等からフィルタを切り替えても異常が生じないか否か等を確認することもできる。
【００４６】
以上、上記実施の形態では、ＡＦ用ＣＣＤ２０の１つの撮像面によって撮影された映像の映像信号に基づいてＡＦによるフォーカス調整を行うＡＦ処理部の特性調整について説明したが、本発明はこれに限らず適用できる。例えば、光路長が異なる位置に複数の撮像面を配置する１又は複数のＡＦ用ＣＣＤによって被写体像を撮像し、それらの撮像面によって撮像された被写体像のコントラストの高さ（焦点評価値）を比較することによって、光学系のフォーカスを合焦状態に設定するいわゆる光路長差方式のＡＦが知られている。このようなＡＦ機能を採用したレンズ装置においても本発明を適用できる。
【００４７】
光路長差方式のＡＦについて概略を説明すると、図５には光路長差方式のＡＦを採用する場合のレンズ装置の光学系が示されている。尚、図１における光学系と同一又は類似作用の構成要素には、図１と同一符号を付し、説明を省略する。図１に示した光学系と同様に光分割手段１８によりＡＦ用光路に分岐させた被写体光が更にプリズム等の光分割手段６０によって等しい光量の被写体光に分割され、各被写体光により結像される被写体像が一対のＡＦ用ＣＣＤ６２Ａ、６２Ｂによって撮像されるようになっている。ＡＦ用ＣＣＤ６２Ａ、６２Ｂの各撮像面は、カメラ本体１２の映像用撮像素子の撮像面をそれぞれ前側と後側に所定距離ずらしたときと略一致した画像が得られるような位置に配置され、相互に、また、映像用撮像素子の撮像面とも光路長差を有した位置に配置されている。
【００４８】
このような光学系に対して制御系は、基本的に図２と同様に構成されるが、各ＡＦ用ＣＣＤ６２Ａ、６２Ｂに対して図２のＡＦ処理部２２と同様に構成されたＡＦ処理部６４Ａ、６４Ｂが図６のように別々に設けられ、各ＡＦ処理部６４Ａ、６４Ｂによって一対のＡＦ用ＣＣＤ６２Ａ、６２Ｂに対する一対の焦点評価値が求められる。それらの焦点評価値の大小関係は、光学系のピント状態を示しており、それらの焦点評価値が一致したときに合焦したと判断される。従って、フォーカスレンズＦＬを制御するレンズ制御ＣＰＵ４０は、ＡＦ時において、各ＡＦ用ＣＣＤ６２Ａ、６２Ｂから求められた焦点評価値が一致するようにフォーカスレンズＦＬを移動させることによって光学系のフォーカス調整を行う。
【００４９】
このようなＡＦ機能を備えたレンズ装置に対して図２のようなレンズ調整システムを構築した場合に、パソコン１６のＣＰＵ５２は、図２の場合と同様にモニタ５０にテストチャートを表示する。また、このときオペレータはカメラ本体１２の映像用撮像素子によって撮影された映像をビューファインダ等によって確認し、テストチャートに合焦するように光学系のフォーカス（フォーカスレンズＦＬ）を設定する。そして、各ＡＦ処理部６４Ａ、６４ＢのＡ／Ｄ変換器から出力された映像信号を取得し、各映像信号の輝度レベルが目標値となるようにゲイン値を調整する。これによれば、ＡＦ用ＣＣＤ６２Ａ、６２ＢやＡＦ処理部６４Ａ、６４Ｂのアンプの出力特性が相違している場合でも合焦状態となったときに各ＡＦ処理部６４Ａ、６４Ｂで求められる焦点評価値が一致するように調整することができる。
【００５０】
また、各ＡＦ処理部６４Ａ、６４Ｂにおける各ゲート回路で設定されるＡＦエリアの範囲が、正確に一致するように調整することも可能である。例えば、パソコン１６のモニタ５０に図４と同様のパターンのテストチャートを大きめ（灰色のラインの幅と間隔を大きめ）に表示する。そして、そのとき、各ＡＦ処理部６４Ａ、６４Ｂによって求められた焦点評価値を取得し、それらの値が一致するようにＡＦエリアの範囲を調整する。これによって、各ＡＦ処理部６４Ａ、６４Ｂの各ゲート回路のＡＦエリアの範囲が正確に一致するように調整される。
【００５１】
尚、図４のように縦方向のラインのテストチャートをモニタ５０に表示することによってＡＦエリアの左右方向の調整が行われ、図４のテストチャートを９０度回転させた横方向のラインのテストチャートをモニタ５０に表示することによってＡＦエリアの上下方向の調整が行われる。また、モニタ５０に表示するテストチャートのパターンとしては、図４に示したパターンのテストチャートの換わりに図７に示すように灰色のラインの幅と間隔を徐々に狭めたパターンのテストチャートを用いることもできる。
【００５２】
以上、上記実施の形態では、パソコン１６のＣＰＵ５０がＡＦ処理部２２の特性調整に関する処理を主として行っていたが、パソコンのＣＰＵ５０が行う処理をレンズ装置１４内のＣＰＵによって行うようにしてもよい。
【００５３】
また、上記実施の形態において、テストチャートを表示するモニタ５０はレンズ装置１４の焦点距離に応じた適切な距離に配置する必要があるが、モニタ５０からの光線を無限光、又は、実際の距離よりも遠い有限光に変換するアダプタをモニタ５０の画面部分に取り付けることによってモニタ５０をレンズ装置１４の近くに配置できるようにして配置の自由度をもたせるとよい。
【図面の簡単な説明】
【００５４】
【図１】図１は、本発明に係るレンズ調整システムの外観構成及び撮影光学系の構成を示した図である。
【図２】図２は、レンズ調整システムにおける主要部の構成を示したブロック図である。
【図３】図３は、ＡＦ処理部におけるアンプのゲイン調整を行う場合のパソコンのＣＰＵでの処理手順を示したフローチャートである。
【図４】図４は、パソコンのモニタに表示されるテストチャートのパターンの一例を示した図である。
【図５】図５は、光路長差方式のＡＦ機能を採用したレンズ装置の光学系の構成図である。
【図６】図６は、光路長差方式のＡＦ機能を採用したレンズ装置におけるＡＦ機能に関する処理部の構成を示したブロック図である。
【図７】図７は、パソコンのモニタに表示されるテストチャートのパターンの一例を示した図である。
【符号の説明】
【００５５】
１０…テレビカメラ、１２…カメラ本体、１４…レンズ装置、１６…パソコン、１８…光分割手段、２０…ＡＦ用ＣＣＤ、２２…ＡＦ処理部、２４…アンプ、２６…Ａ／Ｄ変換器、２８…ハイパスフィルタ（ＨＰＦ）、３０…ゲート回路、３２…加算回路、３４…輝度レベル検出回路、３６…ＡＦ用ＣＰＵ、４０…レンズ制御ＣＰＵ、４２…Ｄ／Ａ変換器、４４…ドライバ、５０…モニタ、５２…ＣＰＵ、ＦＬ…フォーカスレンズ（群）、ＺＬ…ズームレンズ（群）、Ｉ…絞り、ＭＬ１…マスターレンズ（群）、ＭＬ２…ＡＦ用マスターレンズ（群）
【図１】
2008003144.tif 000003
【図２】
2008003144.tif 000004
【図３】
2008003144.tif 000005
【図４】
2008003144.tif 000006
【図５】
2008003144.tif 000007
【図６】
2008003144.tif 000008
【図７】
2008003144.tif 000009